(57)【特許請求の範囲】
【請求項１】
複数層の作業床を有し、各面が少なくとも１つの緊結具にて建物壁面に緊結された状態で建物の周囲に架設された足場の解体方法であって、建物が建設される敷地において、建物の周囲の敷地の一部を搬出作業エリアとして設定し、緊結部近傍の搬出作業エリア側の位置に足場分割点を設定して足場を複数の分割足場に区分し、分割足場単位で搬出作業エリアに近い分割足場から順次解体することを特徴とする足場の解体方法。
【請求項２】
前記足場は、単管足場であることを特徴とする請求項１記載の足場の解体方法。
【発明の詳細な説明】
【技術分野】
【０００１】
本発明は、複数層の作業床を有し、建物の周囲に架設された足場の解体方法に関するものである。
【背景技術】
【０００２】
従来より、建物の新築あるいは改修の際に建物の周囲に複数層の作業床を有する足場が架設されるが、足場の解体の際は、安定性を確保する為平面的に閉じた状態を保ってたまま上層から順次解体していくのが一般的であった。
【０００３】
一方、略矩形状に区画され一辺のみが道路に面する敷地に平面視略矩形状の建物を計画する際は、隣地に面する側は隣地境界線に沿って隣接建物に近接するように建物を配置するケースがある。例えば、南側の一辺が道路に面する場合は、東西及び北側（隣地側）については隣家に近接するように建物を配置することが多い。このような傾向は建蔽率のゆるい商業系の用途地域において顕著である。
【０００４】
従って、隣地Ｅ側については上記のように足場は狭隘な空間に架設されることが多く、特に足場の解体作業においては建物が構築された後に作業を行わざるを得ないので、作業者は狭隘な空間を解体した各種足場部材を持って移動しなければならなかった。特に、２層目以上の解体においては、幅のせまい作業床の上を建物に足場部材をあてないように注意しながら慎重に移動する必要があり、作業効率が極めて悪いという問題があった。
【０００５】
特許文献１には、枠組足場の解体方法に関する記載がある。これは、枠組み足場を完全に分解することなく、所定のスパンについて縦横方向に連結したままの状態でクレーンで吊り上げて移動させ別の場所で解体するものである。
【先行技術文献】
【特許文献】
【０００６】
【特許文献１】特開昭６１−６８９７１号公報
【発明の概要】
【発明が解決しようとする課題】
【０００７】
上記特許文献１に記載の解体方法は、クレーンで吊り上げた状態でも形状が安定し変形や崩壊が生じない枠組足場に限定されるものであり、長尺の手摺材や変形を防ぐ筋交いなどが複数スパンに跨り、しかもその連結部が一定しない単管足場においてこのような方法を適用することは不可能である。また、クレーンの使用が前提であり、クレーンの利用が困難な現場にて適用することができない。
【０００８】
本発明は、従来技術の課題を解決し、単管足場の解体作業においても、また、クレーンを使用することができない現場においても適用が可能な足場の解体方法を提供することを目的とするものである。
【課題を解決するための手段】
【０００９】
上記課題を解決する為に、本発明の足場の解体方法は、複数層の作業床を有し各面が少なくとも１つの緊結具にて建物壁面に緊結された状態で建物の周囲に架設された足場の解体方法であって、建物が建設される敷地において、建物の周囲の敷地の一部を搬出作業エリアとして設定し、緊結部近傍の搬出作業エリア側の位置に足場分割点を設定して足場を複数の分割足場に区分し、分割足場単位で搬出作業エリアに近い分割足場から順次解体することを特徴とする。
また、足場は、単管足場であることを特徴とする。
【発明の効果】
【００１０】
本発明の足場の解体方法によれば、作業床上での移動を減らして効率よく安全に足場の解体作業を行うことができる。また、単管足場に適用することができ、更に、クレーンを使用する必要もなく作業することができる。
【図面の簡単な説明】
【００１１】
【図１】足場の基本構成を示す斜視図である。
【図２】壁つなぎの構成を示す図である。
【図３】解体前の足場の状態を示す平面図である。
【図４】解体途中の足場の状態を示す平面図である。
【図５】解体途中の足場の状態を示す立面図である。
【発明を実施するための形態】
【００１２】
以下に図を参照して、本発明に係る足場の解体方法の一実施形態について説明する。
本実施形態の足場Ａは、図１に示すような単管足場であり、支柱１（内側支柱１ａ、外側支柱１ｂ）、ブラケット（踏板支持材）２、踏板３、手摺材４等の部材を、主にクランプを用いて緊結することで構成されるものである。支柱１は長尺の単管からなり、内部側（建物側）に立設される複数の内側支柱１ａと外部側に立設される複数の外側支柱１ｂとが建物の壁面に沿って二列縦隊状態で配列される。ブラケット２は、所定の高さで踏板３を支持する為の部材であり、水平材の中間部を支持するように頬杖状の斜材が取り付けられ、根元側となる水平材の一端及び斜材の下端には外側支柱１ｂに緊結する為のクランプ部を有し、先端側となる水平材の他端には内側支柱１ａに緊結する為のクランプ部を有して構成されている。ブラケット２は、外壁面に対して平面視直角に（支柱１の配列方向と直角となるように）外側支柱１ｂと内側支柱１ａとの間に介在するように取り付けられる。踏板３は、両短辺側に設けられたフックをブラケット２の水平材に掛止することで支持されて各層の作業床Ａａを構成する。手摺材４は単管からなり、支柱間に掛け渡されて直交クランプ８にて取り付けられ各層の手摺Ａｂを構成する。
【００１３】
図２に示すように、建物Ｂの所定の位置には壁つなぎアンカー１０が設置されている。壁つなぎアンカー１０は、各階の梁１１に取り付けられ、外壁を構成するＡＬＣパネル１２の目地部の表面から先端側の雌ねじが形成された壁つなぎ接続部が露出するように持ち出されている。
【００１４】
図３に示すように、足場Ａと建物Ｂとは、壁つなぎアンカー１０とこれに接続された壁つなぎ（緊結具）９を介して連結されており、このような構成によって足場Ａの安定性が保たれている。壁つなぎ９は、足場Ａの内側支柱１ａまたは隣接する２本の内側支柱１ａ間に架け渡された水平材１３に取り付けられて持ち出されており、雄ねじが形成された先端部が、壁つなぎアンカー１０の壁つなぎ接続部にねじ込まれて連結されている。なお、壁つなぎ９（壁つなぎアンカー１０）の位置は、壁つなぎ９１箇所あたりの負担幅が所定の値以下となるように決定されている。また、壁つなぎアンカー１０は足場解体後も取り外されることはなく、メンテナンスなどで足場を再度仮設する際には再利用される。
【００１５】
上記の基本構成を有する足場Ａを、敷地Ｃにおいて建物Ｂの建築に用いたのちに解体する際の手順を説明する。敷地Ｃは矩形であり、敷地Ｃの南側は、解体された足場Ａの構成部材の搬出用の車両が通行する前面道路Ｄに接し、他の３方向（北側、東側、西側）は隣地Ｅに接している。建物Ｂは、平面視矩形の鉄骨造２階建ての住宅である。隣地Ｅに面する側は隣地境界から建物Ｂ外壁面までの離間寸法があまり確保されておらず、足場Ａが仮設された状態では、足場Ａの構成部材の搬出が困難な状態である。一方、全面道路Ｅに面する側は、空地をアプローチ、庭、カーポート等として利用するためにまとまった空地が確保されており、建築工事期間中は足場Ａの構成部材の仕分けや整理、車両への積み込み等の搬出作業を行い得る領域、即ち搬出作業エリアＣ１となっている。
【００１６】
まず、足場Ａにおいて白抜きの三角にて示された足場分割点を設定し、足場分割点によって複数の分割足場Ａ−１、Ａ−２、Ａ−３に区分する。足場分割点は緊結部近傍、すなわち壁つなぎ９が取り付けられた内側支柱１ａ位置または壁つなぎ９取り付け用の水平材が取り付けられた内側支柱１ａ位置として、足場分割点の搬出作業エリアＣ１側の分割足場を解体した後に壁つなぎ９を残存させることができるようにする。なお、長尺材からなり水平に配置される手摺材４は、通常支柱１や踏板３の割り付けとは無関係に配置され、連結位置も定まらないが、本発明においては、足場の組立て段階において、手摺材４等の連結位置を予め足場分割点に対応させるのが好ましい。即ち、手摺材４の連結位置を足場分割点に一致させるか、残存させる分割足場から突出させる場合には、残存させる分割足場を構成する２本以上の支柱１に固定されて安定した状態が保たれるように、且つ保持の突出寸法が過度に大きくならないように割り付けるのが好ましい。
【００１７】
解体作業は、分割足場のうち、搬出作業エリアＣ１に最も近い分割足場Ａ−１から開始する。分割足場Ａ−１においては、最上層の足場構成部材を全て取り外し、その後順次下の層の足場構成部材を取り外す。なお、支柱１に関しては、支柱１に取り付けられた他の足場構成部材が全て取り外された上で取り外す。また、手摺材４については、上述したように残存する分割足場Ａ−２側から突出した状態となることはあるが、作業上さほどの影響はない。このような手順でＡ−１を完全に解体すると、足場Ａの残存部分は四角く閉じた状態ではなくなるが、壁つなぎ９によって建物に連結されているので、安定状態が保たれる。また、分割足場Ａ−１を先行して解体して形成された空地を搬出作業エリアＣ１に組み入れ拡張することができる。
【００１８】
次に、分割足場Ａ−２を解体する。Ａ−１と同様に支柱最上層の足場構成部材を解体し順次下の層を解体してゆく。この際、バラバラになった足場構成部材は解放された分割足場Ａ−２の端面から分割足場Ａ−１が撤去されて空地となった地上面に降ろし、搬出作業エリアＣ１方向に運び出す。（足場構成部材はロープなどを使って降下させる。長尺の手摺材４を降下させる場合や作業床から地上面までが近い場合は、作業床上の作業者から地上面に待機する作業者に手渡してもよい。）
【００１９】
このような作業を繰り返して、搬出作業エリアＣ１から最も遠い分割足場Ａ−３まで解体する。そして、残存する西側（図における左側）の分割足場Ａ−１´、Ａ−２´、Ａ−３´についても同様の手順で解体する。
【００２０】
上記の如く、壁つなぎ９を用いた緊結部近傍の、搬出作業エリアＣ１側の位置に足場分割点を設定して足場Ａを複数の分割足場（Ａ−１、Ａ−２、Ａ−３、・・・）に区分し、分割足場単位で、搬出作業エリアＣ１に近い分割足場から順次解体することにより、幅が狭く、段差があり、支柱１等の障害物が存在し、安全帯を使用しなければならない作業床上での足場構成部材の移動作業が減り、作業床に比べ幅が広く、段差や障害物もなく、安全帯を使用する必要もない地上面での移動作業が多くなるので、作業時間を短縮することができ、また作業者の安全も確保しやすい。
【００２１】
上記実施例では、コーナー部については平面視Ｌ字状に分割足場を設定したが、ちょうどコーナーの部分に足場分割点を設定し一直線状の分割足場を設定してもよい。また、分割足場の解体手順は、同じ側について作業エリアＣ１に近い分割足場から順次解体すればよく、例えば、Ａ−１、Ａ−１´、Ａ−２、Ａ−３、Ａ−２´、Ａ−３´といった手順でも構わない。また、作業者を二組に分け、Ａ−１、Ａ−２、Ａ−３の側の解体と、Ａ−１´、Ａ−２´、Ａ−３´の側の解体とを同時進行させることもできる。
【符号の説明】
【００２２】
Ａ  足場
Ａａ  作業床
Ａｂ  手摺
Ａ−１、Ａ−２、Ａ−３、Ａ−１´、Ａ−２´、Ａ−３´  分割足場
Ｂ  建物
Ｃ  敷地
Ｃ１  搬出作業エリア
Ｄ  隣地
Ｅ  前面道路
１  支柱
１ａ  内側支柱
１ｂ  外側支柱
２  踏板支持材（ブラケット）
３  踏板
４  手摺材
５  根がらみ
６  ブラケット
７  敷板
８  直交クランプ
９  壁つなぎ（緊結具）
１０壁つなぎアンカー
１１梁
１２ＡＬＣパネル
１３水平材
【産業上の利用可能性】
【００２３】
本発明は、壁つなぎ等の緊結具に限らず、分断された後もなんらかの手段で安定性を立つことができる足場全般に適用が可能である。
【図１】
0005512253.tif 000002
【図２】
0005512253.tif 000003
【図３】
0005512253.tif 000004
【図４】
0005512253.tif 000005
【図５】
0005512253.tif 000006